(57)【要約】【課題】本発明は、副偏向ヨークに生じる誘導電圧（ＣＹクロストーク）を低減し、画面ノイズを生じさせない偏向ヨークを提供することを目的とする。【解決手段】本発明の偏向ヨークは、一対の水平偏向コイル１１の電子銃側ベンド部折り返しをブラウン管に沿う方向に巻線する形状としたことにより、水平偏向コイル１１の電子銃側後端部から吹き出す磁力線１３を減少させろことが可能となり、副偏向ヨーク１に生じる誘導電圧（ＣＹクロストーク）を減少出来るので、ＣＹクロストークによって生じる画面ノイズを改善する偏向ヨークである。【選択図】  図９
2004152577.tif 000002
【特許請求の範囲】
【請求項１】
一対の水平偏向コイルと一対の垂直偏向コイルからなる主偏向ヨークと、主偏向ヨークの電子銃側後端部に副偏向コイルを有する偏向ヨークにおいて、水平偏向コイルの電子銃側後端のコイル折り返し部（ベンドアップ部）をブラウン管に沿う方向に巻線したことを特徴とする偏向ヨーク。
【請求項２】
上記請求項１の偏向ヨークにおいて、主偏向ヨークに取り付けるフェライトコアを、全長に渡って内径が均一なストレートコアを用いたことを特徴とする偏向ヨーク。
【請求項３】
上記請求項１の偏向ヨークにおいて、水平偏向コイルの巻き始め引出し線をコイル絶縁枠に設けた凹部より引き出し、垂直偏向コイルとの絶縁のため絶縁枠に設けた引き回しの溝内をブラウン管軸と平行な方向へ引き出したことを特徴とする偏向ヨーク。
【発明の詳細な説明】
【０００１】
【発明の属する技術分野】
本発明はブラウン管三管式投射型受像機、プロジョクター映写機に用いる偏向ヨークに関するものである。
【０００２】
【従来の技術】
偏向ヨークは陰極線管の電子銃から射出される電子ビームを偏向させ、画面を表示させるものであり、一対の水平偏向コイルと一対の垂直偏向コイルを有している。
【０００３】
以下従来の偏向ヨークについて説明する。
【０００４】
図１の偏向ヨークの構成を表す図に示すように副偏向ヨーク１は主偏向ヨーク２の電子銃側後端部に取り付けられている。
【０００５】
偏向ヨークは図２の偏向ヨークの動作を表す図に示すように、ブラウン管３に取り付けられブラウン管の管面上に画像をつくる        水平及び垂直偏向磁界を形成している。投射式受像機やプロジェクター映写機においては、ブラウン管の管面に設けた複数枚（図２においては１枚のみ記載）のレンズ４によって画像を拡大しスクリーン５上に画像６を投射している。
【０００６】
投射型受像機及びプロジェクター映写機は赤、緑、青３色のブラウン管を配置し３つの画面をスクリーン上で重ねて、カラー映像を得るものであるので異なる角度から投射された３つの画像をズレなく重ね合わせるために、画像の位置補正や図３の副偏向ヨークが補正している画面歪みを表す図に示すような画像のピンクション形歪みの補正を行う副偏向コイルを設けて３色の画像を一致させている。
【０００７】
（例えば特許文献１参照）
従来の副偏向ヨークは図４の従来の副偏向ヨークの１形態を表す図、図５の従来の副偏向ヨークの１形態を表す図に示すようにリング状のフェライトコア７にトロイダル状に巻線された水平副偏向コイル８垂直副偏向コイル９からなっている。
【０００８】
図４、図５の１０はブラウン管のガラス管を表している。
【０００９】
（例えば特許文献２参照）
【００１０】
【特許文献１】
実開昭６３−９５１６０号公報
【特許文献２】
特開平３−２５７７４２号公報
【００１１】
【発明が解決しようとする課題】
上記従来の偏向ヨークでは水平偏向コイル及び垂直偏向コイルは図６の従来の水平偏向コイル、垂直偏向コイルを表す図に示すような形状をしており、水平偏向コイル１１は電子銃側後端部にコイル折り返し部（以下ベンド部と呼ぶ）１２を有している。
【００１２】
副偏向ヨーク１は図１及び図７の従来の主偏向コイルと副偏向コイルを表す図に示すように主偏向ヨークの電子銃側後端に設けられているが、水平偏向コイルの電子銃側ベンド部から生じる磁力線１３を受けて、副偏向ヨーク１に誘導電圧が生じ、そのため画像にノイズが生じる問題があった。
【００１３】
この誘導電圧は一般にＣＹクロストークと呼ばれ、例えば従来の偏向ヨークにおけるＣＹクロストーク量は水平偏向コイルの入力が１，２００Ｖの場合、１９Ｖ程度であった。
【００１４】
本発明は前記従来の問題点を解決するもので、副偏向ヨークに生じる誘導電圧（ＣＹクロストーク）を低減し、画面ノイズを生じさせない偏向ヨークを提供するものである。
【００１５】
【課題を解決するための手段】
この目的を達成するために、本発明の偏向ヨークは水平偏向コイルの電子銃側後端をベンド部のない形状とし、水平偏向コイルの電子銃側への磁力線の吹き出しを抑える構造とした。
【００１６】
【発明の実施の形態】
請求項１記載の本発明は、一対の水平偏向コイルの電子銃側ベンド部折り返しをブラウン管に沿う方向に巻線する形状としたことにより、水平偏向コイルの電子銃側後端部から吹き出す磁力線を減少させろことが可能となり、副偏向ヨークに生じる誘導電圧（ＣＹクロストーク）を減少出来るので、ＣＹクロストークによって生じる画面ノイズを改善することができる。
【００１７】
請求項２記載の本発明は垂直偏向コイルの電子銃側後端を水平偏向コイルの後端側へ伸長し、さらに、フェライトコアを電子銃側へ設けることで、フェライトコアの内径をコアの全長に渡って均一としとすることが可能となり、このためフェライトコアの肉厚を薄くした軽量で安価なフェライトコアを実現できる。
【００１８】
請求項３記載の本発明は、水平偏向コイルの巻き始め引出し線を電位差のある他の巻線との絶縁のため、絶縁枠に設けた凹部から引き出しさらに絶縁枠に設けたブラウン管の管軸と同一方向の引き回し溝を通して引き回す構造としたことで、水平偏向コイルの電子銃側後端を折り返し部を持たない形状としても、電位差のある線同士を完全に絶縁できる。
【００１９】
（実施の形態１）
図８は本発明の実施の形態１における水平偏向コイルの斜視図、図９は本発明の実施の形態１における主偏向コイルと副偏向コイルを表す図である。
【００２０】
ＣＹクロストーク量（電圧）を低減するには副偏向ヨークを主偏向ヨークはら遠ざけることが必要であるが副偏向ヨークと主偏向ヨークの間の空間を広げることは、偏向ヨーク自体の全長を伸長させることとなり、偏向ヨークの電子銃側後方に取り付けられる別部品（速度変調コイル等）との物理的干渉から偏向ヨークは全長を伸長することは不可能であるため、副偏向ヨークと主偏向ヨークの間の距離を広げることは出来ない。
【００２１】
そこで、図８に示すように水平偏向コイルの電子銃側後端をブラウン管に沿う方向に巻線し、図６の１２に示したベンド部を無くすことで、図９に示すように、水平偏向コイル１１の電子銃側後端の磁力線の吹き出し１３を小さくすることができ従来の偏向ヨークと同一の全長で、副偏向コイル１の受ける水平偏向コイルの磁力線を小さくしている。
【００２２】
実際のＣＹクロストーク量（電圧）は水平偏向コイルの入力が１，２００Ｖの場合、従来の偏向ヨークが１９Ｖであるのに対し、本発明の偏向ヨークでは３Ｖとなっている。
【００２３】
（実施の形態２）
図１０は従来の偏向ヨークの断面図、図１１は本発明の実施の形態２における偏向ヨークの断面図である。
【００２４】
図１０に示すように垂直偏向コイル１４の電子銃側長さは水平偏向コイル１１の電子銃側ベンド部１２の位置によって決まっており、垂直偏向コイル１４の外側に取り付けるフェライトコア１５の長さは垂直偏向コイル１４の長さによって決まっている。
【００２５】
フェライトコア１５と垂直偏向コイル１４の間に空間があると水平偏向磁界及び垂直変更磁界が弱まるので、フェライトコア１５は垂直偏向コイル１４に沿うように設計されるが、内面形状はその全長の約半分がカーブした形状となっており、フェライトコア１５をプレス成形及び焼成する場合にコアのストレート部分とカーブ部分の内径が違うため、コア内部の圧力分布が異なるので割れが発生する可能性があり、割れを防止するためにはフェライトコアの断面肉厚を十分に厚くする必要があった。
【００２６】
本発明の実施の形態２では図１１に示すように、水平偏向コイルの電子銃側ベンド部１２を無くし垂直偏向コイルの電子銃側後端を伸長することでフェライトコアの位置を電子銃側へ移し、フェライトコアの内径をその全長に渡って均一とした。
【００２７】
このためフェライトコアの内部圧力分布を均一にすることができ、フェライトコアの肉厚を薄くするし、軽量で安価なフェライトコアの生産ができる。
【００２８】
また垂直コイルの伸長とフェライトコアの位置を電子銃側へ移した効果により、従来の偏向ヨークと同一の全長で水平偏向コイルの磁界中心及び、垂直偏向コイルの磁界中心を電子銃側へ移動できたので電子ビームの偏向開始点が電子銃側へ移動し、主偏向ヨークの偏向能率を向上できる。
【００２９】
（実施の形態３）
図１２は本発明の実施の形態３における水平偏向コイルの上面図、図１３は本発明の実施の形態３における水平偏向コイルの側面図、図１４は本発明の実施の形態３における偏向ヨークの断面図、図１５は本発明の実施の形態３における配線の説明図、図１６、図１７、図１８は本発明の実施の形態３における絶縁枠の斜視図である。
【００３０】
図１２、図１３に示すように水平偏向コイル１１には巻き始め線１６と巻き終わり線１７があり、巻き始め線をコイル外周方向へ引き出す際に電位差のある線またはコイル本体と接触しないように絶縁する必要がある。
【００３１】
図１４は本発明の実施の形態３における偏向ヨークの断面図であり、水平偏向コイル１１は絶縁枠１８によって垂直偏向コイル１４と仕切られており、この絶縁枠１８に水平偏向コイル１１の巻き始め線１６を通す溝部１９を設けている。
【００３２】
図１５に示すように水平偏向コイル１１の巻き始め線１６を溝部１９を通して配線する。
【００３３】
図１６及び図１７に示すように溝部１９は分割された絶縁枠１８を組み合わせることによって形成される図１６に示すように溝部１９には凹部２０を設けており、図１８に示すように巻き始め線１６は凹部２０を通して溝部１９へ引き出し、偏向ヨークの電子銃方向へ引き出す構造としている。
【００３４】
凹部２０からの巻き始め線１６の引き出し、及び溝部１９への引き回しを容易にするため、溝部１９は図１７に示すようにＬ字型の壁とＩ字型の壁を合わせることで箱状の形状としている。
【００３５】
【発明の効果】
以上の様に本発明は水平偏向コイルの電子銃側後端のベンド部をブラウン管に沿う方向に巻線し、副偏向ヨークの受ける水平偏向磁力線を低減することでＣＹクロストーク量を低減し画面ノイズの生じない偏向ヨークを提供することができる。
【図面の簡単な説明】
【図１】偏向ヨークの構成を表す図
【図２】偏向ヨークの動作を表す図
【図３】副偏向ヨークが補正している画面歪みを表す図
【図４】従来の副偏向ヨークの１形態を表す図
【図５】従来の副偏向ヨークの１形態を表す図
【図６】従来の水平偏向コイル、垂直偏向コイルを表す図
【図７】従来の主偏向コイルと副偏向コイルを表す図
【図８】本発明の実施の形態１における水平偏向コイルの斜視図
【図９】本発明の実施の形態１における主偏向コイルと副偏向コイルを表す図
【図１０】従来の偏向ヨークの断面図
【図１１】本発明の実施の形態２における副偏向ヨークの断面図
【図１２】本発明の実施の形態３における水平偏向コイルの上面図
【図１３】本発明の実施の形態３における水平偏向コイルの側面図
【図１４】本発明の実施の形態３における偏向ヨークの断面図
【図１５】本発明の実施の形態３における配線の説明図
【図１６】本発明の実施の形態３における絶縁枠の斜視図
【図１７】本発明の実施の形態３における絶縁枠の斜視図
【図１８】本発明の実施の形態３における絶縁枠の斜視図
【符号の説明】
１  副偏向ヨーク
２  主偏向ヨーク
３  ブラウン管
４  レンズ
５  スクリーン
６  スクリーン上の画像
７  副偏向ヨークのフェライトコア
８  水平副偏向コイル
９  垂直副偏向コイル
１０  ブラウン管のガラス管
１１  水平偏向コイル
１２  水平偏向コイルのベンド部
１３  水平偏向磁界の電子銃側への吹き出し
１４  垂直偏向コイル
１５  フェライトコア
１６  水平偏向コイルの巻き始め線
１７  水平偏向コイルの巻き終わり線
１８  絶縁枠
１９  絶縁枠に設けた溝部
２０  絶縁枠に設けた溝部に設けた凹部
【図１】
2004152577.tif 000003
【図２】
2004152577.tif 000004
【図３】
2004152577.tif 000005
【図４】
2004152577.tif 000006
【図５】
2004152577.tif 000007
【図６】
2004152577.tif 000008
【図７】
2004152577.tif 000009
【図８】
2004152577.tif 000010
【図９】
2004152577.tif 000011
【図１０】
2004152577.tif 000012
【図１１】
2004152577.tif 000013
【図１２】
2004152577.tif 000014
【図１３】
2004152577.tif 000015
【図１４】
2004152577.tif 000016
【図１５】
2004152577.tif 000017
【図１６】
2004152577.tif 000018
【図１７】
2004152577.tif 000019
【図１８】
2004152577.tif 000020